(57)【要約】【課題】好適なタイミングでかごを乗場階に到着させることが可能なエレベータの呼び登録システムを提供する。【解決手段】登録装置本体３は、利用者用端末４により指定された行先階情報をＬＡＮ６を介して受信する。また、この登録装置本体３は、予め設定された時間が経過した後に利用者用端末４に対応する乗場階にかごを到着させる登録を群管理装置１ａ，１ｂ，１ｃに対して行う。群管理装置１ａ，１ｂ，１ｃは、Ａ棟，Ｂ棟，Ｃ棟のエレベータの運転を制御する複数の制御装置２ａ，２ｂ，２ｃに対して、かごの運転の指示を行う。【選択図】図１
2005187203.tif 000002
【特許請求の範囲】
【請求項１】
利用者用端末により指定された行先階情報を通信ネットワークを介して受信すると、予め設定された時間が経過した後に上記利用者用端末に対応する乗場階にかごを到着させる登録をエレベータ制御装置に対して行う処理部
を備えていることを特徴とするエレベータの呼び登録システム。
【請求項２】
上記処理部は、上記利用者用端末の利用者が乗車したかごを上記行先階情報により指定された行先階に移動させる登録を上記エレベータ制御装置に対して行うことを特徴とする請求項１記載のエレベータの呼び登録システム。
【請求項３】
上記処理部は、上記利用者用端末に固有の識別情報に基づいて、上記利用者用端末に対応する乗場階を選定することを特徴とする請求項１又は２記載のエレベータの呼び登録システム。
【請求項４】
上記予め設定された時間は、上記利用者用端末と上記乗場階の乗場との間の距離に応じて設定された時間であることを特徴とする請求項１から３までのいずれかに記載のエレベータの呼び登録システム。
【請求項５】
第１エレベータの乗場階に対応する利用者用端末から、通信ネットワークを介して、第２エレベータの乗場階が行先階として指定された行先階情報を受信すると、上記第１エレベータのかごを、上記利用者用端末に対応した乗場階、上記第１エレベータから上記第２エレベータへの乗換階の順に移動させる登録をエレベータ制御装置に対して行う処理部
を備えていることを特徴とするエレベータの呼び登録システム。
【請求項６】
上記処理部は、上記行先階情報を受信すると、上記第２エレベータのかごを、上記乗換階、上記行先階の順に移動させる登録をエレベータ制御装置に対して行うことを特徴とする請求項５記載のエレベータの呼び登録システム。
【請求項７】
上記処理部は、上記行先階情報を受信すると、上記第１エレベータのかごが上記乗換階に到着する時間に応じた時間に上記第２エレベータのかごが上記乗換階に到着するように、上記エレベータ制御装置に対する登録を行うことを特徴とする請求項６記載のエレベータの呼び登録システム。
【請求項８】
利用者用端末からの要求を通信ネットワークを介して受け、上記要求により指定された時間にかごを所定の乗場階に到着させる登録をエレベータ制御装置に対して行う処理部
を備えていることを特徴とするエレベータの呼び登録システム。
【請求項９】
上記処理部は、上記利用者用端末の利用者が乗車したかごを上記要求により指定された行先階に優先的に移動させる登録を上記エレベータ制御装置に対して行うことを特徴とする請求項８記載のエレベータの呼び登録システム。
【発明の詳細な説明】
【技術分野】
【０００１】
本発明は、かごを乗場階に移動させる登録等を行うエレベータの呼び登録システムに関する。
【背景技術】
【０００２】
従来のエレベータシステムは、携帯電話等の端末の利用者がかご呼びサービスの加入者である場合、その端末により指定された乗場階の情報を受信すると、その乗場階にかごを移動させる登録を行うように構成されている（例えば、特許文献１参照）。
【０００３】
【特許文献１】特開２００２−２４９２８４号公報
【発明の開示】
【発明が解決しようとする課題】
【０００４】
しかし、かごの移動の登録が行われても、利用者が乗場階に移動する時間が配慮されずにかごが乗場階に到着することとなっている。このため、好適なタイミングでかごが乗場階に到着することが望まれている。
【０００５】
そこで、本発明は、上述のような課題を解決するためになされたもので、好適なタイミングでかごを乗場階に到着させることが可能なエレベータの呼び登録システムを得るものである。
【課題を解決するための手段】
【０００６】
本発明のエレベータの呼び登録システムは、利用者用端末により指定された行先階情報を通信ネットワークを介して受信すると、予め設定された時間が経過した後に利用者用端末に対応する乗場階にかごを到着させる登録をエレベータ制御装置に対して行う処理部を備えている。
【発明の効果】
【０００７】
本発明のエレベータの呼び登録システムは、利用者用端末により指定された行先階情報を通信ネットワークを介して受信すると、予め設定された時間が経過した後に利用者用端末に対応する乗場階にかごを到着させる登録をエレベータ制御装置に対して行うので、好適なタイミングでかごを乗場階に到着させることができる。
【発明を実施するための最良の形態】
【０００８】
実施の形態１．
図１は、本発明の実施の形態１に係るエレベータシステムの要部を示すブロック図である。ここでは、Ａ棟，Ｂ棟，Ｃ棟のオフィスビル内に設置されたエレベータシステムの場合を例にして説明する。
図１において、各群管理装置１ａ，１ｂ，１ｃは、それぞれＡ棟，Ｂ棟，Ｃ棟に設けられている複数のエレベータの制御装置本体２ａ，２ｂ，２ｃを群管理するようになっている。各制御装置本体２ａ，２ｂ，２ｃは、各群管理装置１ａ，１ｂ，１ｃの管理の下、対応するエレベータのかごの運転を制御するようになっている。エレベータ制御装置は、群管理装置１ａ〜１ｃ、および、各制御装置本体２ａ〜２ｃを有している。
また、各群管理装置１ａ，１ｂ，１ｃには、登録装置本体３が接続されている。登録装置本体３は、例えばＡ棟に設けられ、エレベータのかごを移動させる登録を群管理装置１ａ，１ｂ，１ｃに対して行う。この登録装置本体３は、例えばＷＷＷ（World Wide Web）サーバである。また、この登録装置本体３には、複数の利用者用端末４がルータ５を介してＬＡＮ（通信ネットワーク）６上で接続されている。各利用者用端末４は、Ａ棟，Ｂ棟，Ｃ棟に設けられている。
【０００９】
図２は、登録装置本体３の構成を示すブロック図である。図２において、登録装置本体３は、通信部３１、記憶部３２、および、これらを制御する処理部（ＣＰＵ）３３を有している。通信部３１は、例えば入出力インターフェースである。
記憶部３２は、例えば、メモリ，ＨＤＤである。この記憶部３２には、移動時間データｄ１、乗場階の階数データｄ２、および、行先階の階数データｄ３が格納される。
【００１０】
移動時間データｄ１は、予め設定されているデータである。ここでは、各利用者用端末４の設置場所と各利用者用端末４の利用者が利用する乗場階の乗場との間の距離に応じて設定された利用者の移動時間が移動時間データｄ１に設定されている。
例えば、Ａ棟のオフィス内に設けられている利用者用端末４から乗場までの距離が長い場合、その距離を見込んだ長い時間が移動時間データｄ１に設定される。一方、利用者用端末４から乗場までの距離が短い場合、その距離を見込んだ短い時間が移動時間データｄ１に設定されることとなる。
乗場階の階数データｄ２は、利用者用端末４の利用者に利用される乗場階を示すデータである。行先階の階数データｄ３は、利用者により指定される行先階を示すデータである。
【００１１】
処理部３３には、送信部３３ａ、受信部３３ｂ、選定部３３ｃ、および登録部３３ｄが含まれている。これら各部３３ａ〜３３ｄの機能は次のとおりである。送信部３３ａは、行先階等を指定するための画面データを送信する。受信部３３ｂは、行先階の階数データｄ３等を受信する。選定部３３ｃは、予め設定されている移動時間データｄ１等を選定する。登録部３３ｄは、かごを利用者の乗場階に到着させる登録を行ったり、かごを行先階に移動させる登録を行う。
【００１２】
利用者用端末４には、例えば、ブラウザを搭載したパーソナルコンピュータ，携帯電話，ＰＨＳ等が用いられる。この利用者用端末４は、各棟のオフィス内に準備され、例えば社員等に利用される。
【００１３】
図３は、登録装置本体３の動作を示すフローチャートである。
例えば、Ａ棟の６階で勤務している社員が、自席の利用者用端末４を操作して、ＬＡＮ６を介して登録装置本体３にアクセスする。
すると、登録装置本体３の送信部３３ａは、乗場階および行先階を指定するための表示画面データを利用者用端末４に送信する（Ｓ１０１）。
【００１４】
登録装置本体３からの表示画面データの送信を受けて、利用者用端末４上では、図４に示す画面が表示される。図４では、Ａ棟からＣ棟までの乗場階と行先階とを示す階（Ａ１０，Ａ９等）を含む画面が表示されている。図４のＡ，Ｂ，Ｃは、Ａ棟，Ｂ棟，Ｃ棟を示し、１０等の数値は、階数を示している。
ここでは、Ａ棟６階の社員が、利用者用端末４を操作して、例えば、Ａ棟６階の乗場階とＡ棟９階の行先階とを指定する。このようにして、利用者は、Ａ棟の６階からＡ棟の９階までのかごの利用をリクエストして予約することとなる。
すると、登録装置本体３の受信部３３ｂは、利用者用端末４により指定された乗場階と行先階とを示す各階数データｄ２，ｄ３を受信する（Ｓ１０２）。
【００１５】
続いて、選定部３３ｃは、社員の利用者用端末４からＡ棟６階の乗場階の乗場までの距離に応じて設定された時間である移動時間データｄ１を記憶部３２から読み出す（Ｓ１０３）。
【００１６】
次に、登録部３３ｄは、移動時間データｄ１により指定された時間が経過した後に階数データｄ２により指定された乗場階にＡ棟のエレベータのかごを到着させる登録を群管理装置１ａに対して行う（Ｓ１０４）。具体的には、登録部３３ｄは、移動時間データｄ１により指定された時間が経過した後にＡ棟のエレベータのかごを到着させるための指示信号を群管理装置１ａに出力する。
すると、指示信号を受信した群管理装置１ａは、Ａ棟のエレベータのかごの割り当てを行い、そのかごの運転の指示を制御装置本体２ａに対して行うこととなる。これにより、Ａ棟のエレベータのかごが、予め設定されている時間が経過した後、Ａ棟の６階に到着することとなる。
【００１７】
また、登録部３３ｄは、階数データｄ３により指定された行先階にＡ棟のエレベータのかごを移動させる登録を群管理装置１ａに対して行う（Ｓ１０５）。具体的には、登録部３３ｄは、Ａ棟のエレベータのかごを移動させるための指示信号を群管理装置１ａに出力する。
すると、指示信号を受信した群管理装置１ａは、割り当てたＡ棟のエレベータのかごを行先階に移動させる制御を制御装置本体２ａに対して指示することとなる。これにより、社員は、行先階ボタンの操作を行うことなく、行先階に移動することが可能となる。
【００１８】
このように、実施の形態１に係るエレベータ用呼び登録システムによると、登録装置本体３の処理部３３は、利用者用端末４により指定された乗場階および行先階の階数データｄ２，ｄ３をＬＡＮ６を介して受信すると、予め設定された時間が経過した後に階数データｄ２により指定された乗場階にかごを到着させる登録を群管理装置１ａ，１ｂ，１ｃに対して行う。このため、例えば、乗場階に移動した利用者がその乗場階で長待ちすることにはならず、利用者が乗車するのに好適なタイミングでかごが乗場階に到着することとなる。したがって、利用者は、乗場ボタンを操作することなく、円滑に乗車することが可能となる。
【００１９】
また、好適なタイミングでかごが乗場階に到着することにより、かごがその乗場階で長時間待機することにならず、乗場階に到着したかごを迅速に行先階に移動させることが可能となる。したがって、エレベータのかごを効率的に運転させることが可能となる。
【００２０】
また、処理部３３は、利用者用端末４により指定された階数データｄ３の行先階にかごを移動させる登録を群管理装置１ａ，１ｂ，１ｃに対して行う。このため、利用者は、行先階ボタンを操作することなく、行先階に移動することが可能となる。したがって、利用者の利便性が向上することとなる。
【００２１】
さらに、かごが乗場階に到着するのは、移動時間データｄ１により、利用者用端末４の設置場所と乗場階の乗場との間の距離に応じて設定された時間が経過した後になっている。このため、利用者用端末４から乗場までの移動に要する利用者の移動時間を配慮して、エレベータのかごを乗場階に到着させることが可能となる。したがって、より好適なタイミングでエレベータのかごを所定の乗場階に到着させることが可能となる。
【００２２】
またさらに、各群管理装置１ａ，１ｂ，１ｃは、登録装置本体３からの指示により、乗場の待ち客数，行先階等の運行内容を事前に把握した上でかごの割り当てを行うことができる。したがって、Ａ棟，Ｂ棟，Ｃ棟のエレベータのかごを効率的に運転させることが可能となる。
【００２３】
なお、実施の形態１において、登録装置本体３は、利用者用端末４により指定された乗場階の階数データｄ２に基づいて利用者の乗場階を特定する場合について説明したが、これに限られない。例えば、登録装置本体３は、利用者用端末４に固有のＩＰアドレス等の識別情報に対応付けられている乗場階の階数データを記憶部３２から読み出して、利用者の乗場階を選定するようにしてもよい。このようにすると、利用者の操作負担が軽減し、利便性がさらに向上する。
【００２４】
実施の形態２．
実施の形態２において、実施の形態１と同様の部分は、同一符号を付して重複説明を適宜省略する。
実施の形態２における登録装置本体７の記憶部３２には、図５に示すように、移動時間データ等のデータｄ１〜ｄ３のほか、乗換時間データｄ４も予め格納されている。乗換時間データｄ４は、互いに異なるエレベータのかごに乗り換えるために要する時間を示すデータである。
ここでは、Ａ棟，Ｂ棟，Ｃ棟の各エレベータ間において第１エレベータ（Ａ棟のエレベータなど）から第２エレベータ（Ｂ棟，Ｃ棟のエレベータなど）に乗り換えるための階（乗換階）が、１階になっている。このため、乗換時間データｄ４には、各棟間の１階の乗場の距離に応じて設定された利用者の乗り換え時間が指定されている。
【００２５】
図６は、実施の形態２に係る登録装置本体７の動作を示すフローチャートである。ここでは、Ａ棟６階の社員がＣ棟の９階に移動する場合を例にして説明する。
社員が、利用者用端末４を操作して、登録装置本体７にアクセスすると、登録装置本体７の送信部３３ａが、乗場階および行先階を指定するための表示画面データをＬＡＮ６を介して利用者用端末４に送信する（Ｓ１０１）。
【００２６】
そして、登録装置本体７の受信部３３ｂは、利用者用端末４により指定された乗場階と行先階とを示す各階数データｄ２，ｄ３を受信する（Ｓ２０１）。ここでは、利用者用端末４により、Ａ棟の６階が乗場階の階数データｄ２として指定され、Ｃ棟の９階が行先階の階数データｄ３として指定されている。
【００２７】
続いて、選定部３３ｃは、移動時間データｄ１を記憶部３２から読み出し（Ｓ１０３）、登録部３３ｄは、移動時間データｄ１により指定された時間が経過した後に階数データｄ２により指定された６階の乗場階にＡ棟のエレベータ（第１エレベータ）のかごを到着させる登録を群管理装置１ａに対して行う（Ｓ１０４）。これにより、Ａ棟６階の社員は、乗場ボタンを操作することなく、Ａ棟６階の乗場階でかごに乗車することが可能となる。
【００２８】
また、登録部３３ｄは、Ａ棟のエレベータのかごを１階（乗換階）に移動させる登録を群管理装置１ａに対して行う（Ｓ２０２）。これにより、群管理装置１ａにより割り当てられたかごの運転を制御するＡ棟の制御装置本体２ａが、群管理装置１ａの管理の下、そのかごを１階に移動させる制御を行うこととなる。
【００２９】
かごが１階に到着すると、登録装置本体７の受信部３３ｂは、制御装置本体２ａから、群管理装置１ａを介して、そのかごが到着した旨の信号を受信する（Ｓ２０３）。
すると、登録部３３ｄは、乗換時間データｄ４を記憶部３２から読み出す（Ｓ２０４）。そして、登録部３３ｄは、乗換時間データｄ４により指定された時間が経過した後にＣ棟のエレベータ（第２エレベータ）のかごを１階に到着させる登録を群管理装置１ｃに対して行う（Ｓ２０５）。具体的には、登録部３３ｄは、Ｃ棟のエレベータのかごを１階に到着させるための指示信号を群管理装置１ｃに出力する。
すると、指示信号を受信した群管理装置１ｃは、Ｃ棟のエレベータのかごを割り当て、そのかごをＣ棟の１階に到着させる制御を制御装置本体２ｃに対して指示することとなる。これにより、Ｃ棟のエレベータのかごが、Ａ棟のエレベータのかごが乗換階に到着する時間に応じた時間に乗換階に到着することとなる。
したがって、Ａ棟の１階の乗場階からＣ棟の１階の乗場階に移動した社員は、Ｃ棟の１階の乗場ボタンの操作を行うことなく、Ｃ棟のエレベータのかごに好適なタイミングで乗車することが可能となる。
【００３０】
また、登録部３３ｄは、利用者用端末４により指定された行先階にＣ棟のエレベータのかごを移動させる登録を群管理装置１ｃに対して行う（Ｓ２０６）。具体的には、登録部３３ｄは、Ｃ棟のエレベータのかごを行先階に移動させるための指示信号を群管理装置１ｃに出力する。
すると、指示信号を受信した群管理装置１ｃは、割り当てたＣ棟のエレベータのかごを行先階に移動させる制御を制御装置本体２ｃに対して指示することとなる。これにより、社員は、行先階ボタンの操作を行うことなく、Ｃ棟の９階に移動することが可能となる。
【００３１】
このように、実施の形態２に係るエレベータの呼び登録システムによると、登録装置本体７の処理部３３は、第１エレベータの乗場階に対応する利用者用端末４から、第２エレベータの乗場階が行先階として指定された行先階情報を受信すると、第１エレベータのかごを、利用者用端末４に対応した乗場階、第１エレベータから第２エレベータへの乗換階の順に移動させる登録をエレベータ制御装置に対して行う。このため、利用者は、第１エレベータの乗場ボタンおよび行先階ボタンの操作を行うことなく、乗換階に移動することが可能となる。したがって、エレベータの乗り換えをより円滑に行うことが可能となる。
【００３２】
また、処理部３３は、利用者用端末４により指定された行先階情報を受信すると、第２エレベータのかごを、乗換階、行先階の順に移動させる登録をエレベータ制御装置に対して行う。このため、利用者は、第２エレベータの乗場ボタンおよび行先階ボタンの操作を行うことなく、行先階に移動することが可能となる。したがって、利用者は、互いに異なる棟に設けられているエレベータの行先階に円滑に移動することが可能となる。
【００３３】
さらに、処理部３３は、利用者用端末４により指定された行先階情報を受信すると、第１エレベータのかごが乗換階に到着する時間に応じた利用者の乗換時間を加味した時間に第２エレベータのかごが乗換階に到着するように、エレベータ制御装置に対する登録を行う。このため、第２エレベータのかごが好適なタイミングで乗換階に到着することとなる。これにより、例えば、利用者は、第２エレベータの乗換階の乗場で長く待つことなく、円滑に第２エレベータに乗り換えることが可能となる。
【００３４】
またさらに、好適なタイミングで第２エレベータのかごが乗換階に到着することにより、互いに異なる複数のエレベータのかごの連携運転が効率的に行われることとなる。したがって、利用者は、互いに異なる複数の棟間の移動を円滑に行うことが可能となる。
【００３５】
実施の形態３．
図７は、実施の形態３に係るエレベータシステムの要部を示すブロック図である。ここでは、Ａ棟とＢ棟とからなるツインタワーのホテル内に設置されたエレベータシステムの場合を例にして説明する。なお、実施の形態１，２と同様の部分は、同一符号を付して重複説明を適宜省略する。
【００３６】
図７において、Ａ棟に設けられている登録装置本体８は、Ａ棟，Ｂ棟の群管理装置１ａ，１ｂにＬＡＮ６を介して接続されている。各群管理装置１ａ，１ｂは、Ａ棟，Ｂ棟のエレベータのかごの運転を制御する複数の制御装置本体２ａ，２ｂをそれぞれ管理するようになっている。
また、登録装置本体８には、Ａ棟，Ｂ棟に設けられている複数の利用者用端末４がＬＡＮ６を介して接続されている。ここでは、Ａ棟およびＢ棟のスイートルーム，ＶＩＰ待遇の客室に利用者用端末４が設けられている。したがって、スイートルームの宿泊者，ＶＩＰ待遇の宿泊者が利用者用端末４を利用することとなる。
【００３７】
図８は、登録装置本体８の構成を示すブロック図である。図８において、登録装置本体８は、通信部３１、記憶部３２、および、処理部３３を有している。
そして、記憶部３２には、乗場階の階数データ等のデータｄ２〜ｄ４のほか、識別情報ｄ５も格納される。識別情報ｄ５は、利用者用端末４に固有のデータであり、例えばＩＰアドレス，パスワード等が該当する。この識別情報ｄ５は、乗場階の階数データｄ２に対応付けられている。なお、階数データｄ２には、客室から最寄りの乗場階が設定されている。
処理部３３には、送信部３３ａ、受信部３３ｂ、選定部３３ｃ、および登録部３３ｄのほか、認証部３３ｅも含まれている。認証部３３ｅは、宿泊者の認証を行うようになっている。
【００３８】
図９は、登録装置本体８の動作を示すフローチャートである。ここでは、Ａ棟の客室に宿泊するＶＩＰ待遇の宿泊者がその客室からＢ棟の最上階（レストランの設置階）に移動する場合を例にして説明する。
宿泊者が、利用者用端末４を操作して、登録装置本体８にアクセスし、パスワード、アカウント、および、識別情報ｄ５を登録装置本体７に送信する。すると、登録装置本体８の認証部３３ｅは、利用者用端末４からのパスワードおよびアカウントにより宿泊者の認証を行う（Ｓ３０１）。
【００３９】
そして、選定部３３ｃは、認証部３３ｅにより宿泊者にアクセス権が認められると、利用者用端末４からの識別情報ｄ５に対応する乗場階の階数データｄ２を記憶部３２から選定する（Ｓ３０２）。
【００４０】
続いて、送信部３３ａは、認証部３３ｅによりアクセスが許可された宿泊者の乗車時間および行先階を指定するための表示画面データをＬＡＮ６を介して利用者用端末４に送信する（Ｓ３０３）。これにより、利用者用端末４上には、表示画面データが表示されることとなる。
【００４１】
そして、宿泊者が、利用者用端末４を操作して、乗車時間および行先階を指定する。ここでは、利用者用端末４により、１０分後の時刻が乗車時間として指定され、Ｂ棟の最上階が行先階として指定される。
すると、登録装置本体８の受信部３３ｂは、利用者用端末４により指定された乗車時間データおよび行先階の階数データｄ３をＬＡＮ６を介して受信する（Ｓ３０４）。
【００４２】
次に、登録部３３ｄは、乗車時間データにより指定された時間に、利用者用端末４により指定された階数データｄ２が示す宿泊者の最寄りの乗場階にＡ棟のエレベータのかごを到着させる登録を群管理装置１ａに対して行う（Ｓ３０５）。
すると、群管理装置１ａは、Ａ棟のエレベータのかごを割り当て、乗車時間に、そのかごを宿泊者の最寄りの乗場階に到着させる制御を制御装置本体２ａに対して指示することとなる。これにより、Ａ棟の宿泊者は、指定した時間にかごに乗車することが可能となる。
【００４３】
また、登録部３３ｄは、Ａ棟のエレベータのかごを１階に移動させる登録を群管理装置１ａに対して行う（Ｓ３０６）。これにより、群管理装置１ａにより割り当てられたかごの運転を制御するＡ棟の制御装置本体２ａが、群管理装置１ａの管理の下、そのかごを１階に移動させる制御を行うこととなる。
【００４４】
かごがＡ棟の１階に到着すると、、登録装置本体８の受信部３３ｂは、制御装置本体２ａから、群管理装置１ａを介して、そのかごが到着した旨の信号を受信する（Ｓ２０３）。
すると、登録部３３ｄは、乗換時間データｄ４を記憶部３２から読み出す（Ｓ２０４）。そして、登録部３３ｄは、乗換時間データｄ４により指定された時間が経過した後にＢ棟のエレベータのかごを１階に到着させる登録を群管理装置１ｂに対して行う（Ｓ３０７）。具体的には、登録部３３ｄは、Ｂ棟のエレベータのかごを１階に到着させるための指示信号を群管理装置１ｂに出力する。
すると、群管理装置１ｂは、Ｂ棟のエレベータのかごを割り当て、そのかごをＢ棟の１階に優先的に移動させる制御を制御装置本体２ｂに対して指示することとなる。これにより、宿泊者は、Ｂ棟のエレベータのかごに優先的に乗車することが可能となる。
【００４５】
また、登録部３３ｄは、利用者用端末４により指定された行先階、即ち最上階にＢ棟のエレベータのかごを移動させる登録を群管理装置１ｂに対して行う（Ｓ３０８）。具体的には、登録部３３ｄは、Ｂ棟のエレベータのかごを移動させるための指示信号を群管理装置１ｂに出力する。
すると、群管理装置１ｂは、割り当てたＢ棟のエレベータのかごを最上階に移動させる制御を制御装置本体２ｂに対して指示することとなる。これにより、Ａ棟の宿泊者は、行先階ボタンの操作を行うことなく、Ｂ棟の最上階に優先的に移動することが可能となる。
【００４６】
このように、実施の形態３のエレベータの呼び登録システムによると、登録装置本体８の処理部３３は、利用者用端末４によりＬＡＮ６を介して指定された乗車時間にかごを宿泊者の乗場階に到着させる登録を群管理装置１ａに対して行う。このため、宿泊者等は、遠隔操作により、指定した時間にかごの利用を予約することができる。
【００４７】
また、処理部３３は、利用者用端末４により指定された行先階に優先的に移動させる登録を群管理装置１ｂに対して行う。このため、ＶＩＰ待遇の宿泊者等は、行先階ボタンを操作することなく、優先的に所望の階に移動することが可能となる。
【００４８】
さらに、処理部３３は、宿泊者等の利用者の認証によりアクセスが許可された利用者に対し、かごを優先的に移動させるサービスを提供するようになっているので、利用者は、特殊な端末を操作することなく、パーソナルコンピュータ等の汎用の端末を操作すればよい。
【００４９】
なお、上記実施の形態３において、登録装置本体３は、利用者用端末４からの要求により指定された時間にかごを所定の乗場階に到着させる登録等を行うサービスを提供する場合について説明したが、他のサービスを提供してもよい。例えば、登録装置本体３は、利用者用端末４からの要求に応じて、記憶部３２の識別情報ｄ５等のデータを更新，削除，新規登録するサービスを提供してもよい。
【００５０】
また、上記実施の形態１，２，３において、１台の登録装置本体が一括処理を行う場合について説明したが、例えば、棟ごとに設けられた複数の登録装置本体が互いに連携しながら分散処理を行うようにしてもよい。
【００５１】
また、エレベータの呼び登録システムの利用場所は、オフィスビル，ホテルに限られず、例えばマンション等であってもよい。
【００５２】
さらに、通信ネットワークは、ＬＡＮ６に限られず、例えば専用回線，電話回線等であってもよい。
【図面の簡単な説明】
【００５３】
【図１】本発明の実施の形態１に係るエレベータシステムの要部を示すブロック図である。
【図２】図１の登録装置本体の構成を示すブロック図である。
【図３】図１の登録装置本体の動作を示すフローチャートである。
【図４】図１の利用者用端末上の表示画面を示す説明図である。
【図５】実施の形態２における登録装置本体の構成を示すブロック図である。
【図６】図５の登録装置本体の動作を示すフローチャートである。
【図７】実施の形態３に係るエレベータシステムの要部を示すブロック図である。
【図８】図７の登録装置本体の構成を示すブロック図である。
【図９】図７の登録装置本体の動作を示すフローチャートである。
【符号の説明】
【００５４】
１ａ〜１ｃ  群管理装置、２ａ〜２ｃ  制御装置本体、３  登録装置本体、４  利用者用端末、６  ＬＡＮ、３２  記憶部、３３  処理部、３３ａ  送信部、３３ｂ  受信部、３３ｃ  選定部、３３ｄ  登録部、３３ｅ  認証部。
【図１】
2005187203.tif 000003
【図２】
2005187203.tif 000004
【図３】
2005187203.tif 000005
【図４】
2005187203.tif 000006
【図５】
2005187203.tif 000007
【図６】
2005187203.tif 000008
【図７】
2005187203.tif 000009
【図８】
2005187203.tif 000010
【図９】
2005187203.tif 000011